(57)【要約】【課題】簡単な構造で、しかも機械的に強固で、荒っぽい破壊行為にも対抗することができる補助ロック装置を提供する。【解決手段】自動販売機本体１の側壁７に設けた固定カバー８と、自動販売機の扉２のハンドルロック部４、ロックスライダー３を上下に動かすスライダーレバー５及びハンドルロック部４に対する補助の錠としての２重錠６を覆うように固定カバー８にヒンジ結合１０された可動カバー９と、可動カバー９を扉２に対しロックする係合部１５、１６、１９とを備え、係合部は可動カバー９と扉２との間に設ける。【選択図】  図１
2004164002.tif 000002
【特許請求の範囲】
【請求項１】
自動販売機本体の側壁に設けた固定カバーと、自動販売機の扉のハンドルロック部、ロックスライダーを上下に動かすスライダーレバー及びハンドルロック部に対する補助の錠としての２重錠を覆うように固定カバーにヒンジ結合された可動カバーと、可動カバーを扉に対しロックする係合部とを備え、係合部は可動カバーと扉との間に設けたことを特徴とする自動販売機用補助ロック装置。
【請求項２】
可動カバーを扉に対しロックする係合部として、可動カバーロックプレート及びこの可動カバーロックプレートに設けた少なくとも２つの係合孔にそれぞれ挿脱可能な少なくとも２本のロッドのいずれか一方を可動カバーに、他方を扉に取り付けたことを特徴とする請求項１記載の自動販売機用補助ロック装置。
【請求項３】
可動カバーロックプレート及びロッドは、ハンドルロック部、スライダーレバーに対し可動カバーと固定カバーとのヒンジ結合と反対側に設けられていることを特徴とする請求項１又は２記載の自動販売機用補助ロック装置。
【請求項４】
可動カバーロックプレートの係合孔にロッドを挿脱するための駆動シャフトに錠機構を設け、この錠機構のキー孔が下方を向いていることを特徴とする請求項１〜３のいずれか１つに記載の自動販売機用補助ロック装置。
【請求項５】
可動カバーロックプレートはＬ形の金具により形成され、自動販売機の縦方向に延び、その上部、下部にそれぞれロッドを挿入するための係合孔を有することを特徴とする請求項１〜４のいずれか１つに記載の自動販売機用補助ロック装置。
【請求項６】
ロッドにラック、駆動シャフトの先端にこのラックと噛み合うピニオンが形成され、駆動シャフトの回転によりロッドが可動カバーロックプレートの係合孔に挿脱されることを特徴とする請求項１〜５のいずれか１つに記載の自動販売機用補助ロック装置。
【請求項７】
駆動シャフトの下端に錠機構のキー孔が設けられ、キーにより駆動シャフトを回転させることによりロッドを可動カバーロックプレートの係合孔に対し挿脱可能であることを特徴とする請求項１〜６のいずれか１つに記載の自動販売機用補助ロック装置。
【請求項８】
可動カバーと扉との間に自動販売機の電照部の下部を横方向に延びる保護板を挿入し、保護板はプラスチックと鋼板との積層体からなることを特徴とする請求項１〜７のいずれか１つに記載の自動販売機用補助ロック装置。
【発明の詳細な説明】
【０００１】
【発明の属する技術分野】
本発明は、自動販売機の扉に設けたロック機構を破壊行為から防護するための補助ロック装置に関する。
【０００２】
【従来の技術】
自動販売機は、一般に商品を収納する本体の一方の前部側縁にヒンジ結合された扉を備え、扉はヒンジ結合された側と反対側において縦方向に延びる扉ロック用のスライダーを有し、このスライダーはスライダーレバーを介してハンドルと連結し、ハンドルを操作することによりスライダーを上下させ、スライダーの上部、中部、下部に設けた係合穴に本体の引掛け具が掛けられることにより扉は閉まった状態を保持し、係合穴から引掛け具を外すことにより扉は開放可能になるようになっている。そしてハンドルに錠機構を内蔵させ、キーを使用して錠機構を施錠又は解錠し得るものである。従って自動販売機の扉前面にはハンドルロック部が露出している。この露出したハンドルロック部を狙い、ピッキングによる不正解錠、バールによる錠やスライダーレバーの破壊等によって扉をこじ開け、自動販売機内の現金を奪取するという犯罪行為が近年多発している。
【０００３】
上述のような特にハンドルロック部を狙った犯罪行為を未然に防止する対策は種々提案されている。その一つは、自動販売機の扉の表部の左右方向全長に亘る範囲において且つ上下方向に操作部を覆う幅を有するベース鉄板を設け、このベース鉄板の上に操作部のみを覆う補強鉄板を取り付け、更にこの補強鉄板の上にハンドル及びハンドル錠を覆うカバーを設けたものであり、そのカバーは一方の側縁で補強鉄板にヒンジ結合され、他縁は自動販売機本体の側壁に設けたカバー錠にロックピンにより施錠されるようになっている（特許文献１参照。）。
【０００４】
【特許文献１】
特開２００２−２３０６３３号公報（第３〜４頁、図４、図６）
【０００５】
【発明が解決しようとする課題】
上述の防護装置においては、ベース鉄板、補強鉄板及びカバーという３重構造を使用しているが、そのハンドル及びハンドル錠を覆うカバーには板材が使用され、そのロックは１点のみであり、更にカバー錠が剥き出しのためバールが入り易く耐える強度が小さいという欠点があり、種々の破壊行為に対して十分対抗し得るものではない。
【０００６】
本発明の課題は、従来のハンドルロック部の防護装置の複雑な構造を必要とせず、既存の自動販売機に対してもごく僅かの改造で取り付けることができ、しかも機械的に強固で、荒っぽい破壊行為にも対抗し得る補助ロック装置を提供することにある。
【０００７】
【課題を解決するための手段】
上述の課題を解決するため、本発明においては、自動販売機本体の側壁に設けた固定カバーと、自動販売機の扉のハンドルロック部、ロックスライダーを上下に動かすスライダーレバー及びハンドルロック部に対する補助の錠としての２重錠を覆うように固定カバーにヒンジ結合された可動カバーと、可動カバーを扉にロックする係合部とを備え、係合部は可動カバーと扉との間に設けたものである。
【０００８】
本発明の可動カバーを扉にロックする係合部として、可動カバーロックプレート及びこの可動カバーロックプレートに設けた少なくとも２つの係合孔にそれぞれ挿脱可能な少なくとも２本のロッドのいずれか一方を可動カバーに、他方を扉に取り付けることができる。
【０００９】
可動カバーロックプレート及びロッドは、ハンドルロック部、スライダーレバーに対し可動カバーと固定カバーとのヒンジ結合と反対側に設けられるのが好ましい。可動カバーの施錠、解錠を行うために、可動カバーロックプレートの係合孔にロッドを挿脱するための駆動シャフトに錠機構を設け、この錠機構のキー孔が下方を向くようにするのが好ましい。可動カバーロックプレートはＬ形の金具により形成し、自動販売機の縦方向に延び、その上部、下部にそれぞれロッドを挿入するための係合孔を有するようにするのが、可動カバーに破壊するために加えられる力に対抗する上で好ましい。
【００１０】
ロッドを可動カバーロックプレートの係合孔に対し挿脱する運動を行なわせるために、例えばロッドにラック、このロッドを駆動する駆動シャフトにラックと噛み合うピニオンを形成し、駆動シャフトの回転によりロッドを直線運動させるのが有利である。また、駆動シャフトの下端に錠機構のキー孔を設け、キーにより駆動シャフトを回転させることによりロッドを移動させ、施錠、解錠を行うことができる。
【００１１】
更に、可動カバーと扉との間に自動販売機の電照部の下部を横方向に延びる保護板を挿入し、保護板をプラスチックと鋼板との積層体から構成すると、防護機能を高めることができる。
【００１２】
【発明の実施の形態】
次に本発明の実施の形態を図面に示す実施例について更に説明する。
【００１３】
図１において、ａは正面図、ｂは一部を切欠いた平面図、ｃは側面図である。１は自動販売機本体で、その内部には販売すべき商品が収納されている。２は本体１の前面を覆う扉で、その一方の側縁で本体にヒンジ結合され、矢印で示すように開閉可能になっている（図の例では右開き）。扉２にはヒンジ結合された側と反対側の側縁近傍に、縦方向に上下に延びるロックスライダー３を備え、このロックスライダー３はその上部、中部、下部に設けた係合穴に本体の引掛け具が掛けられることにより扉２を本体１にロックするようになっている。４はハンドルロック部で錠機構を内蔵し、施錠状態では扉２内に埋め込まれたような状態にあり操作不能であるが、キーを使用して解錠することによりハンドルが扉前方へ飛び出し、ハンドルを操作可能な状態にすることができる。このハンドルはスライダーレバー５を介してロックスライダー３と連結され、ハンドルを操作することによりロックスライダー３と本体１との間のロック又はロック解除を行うことができる。６はハンドルロック部の錠の他に安全のため更に設ける２重錠で、通常大抵の自動販売機に予めそのための取付け用の孔が設けられ、取付けを必要としない場合にはカバーで覆うようになっている。以上の構成は従来の自動販売機に使用されているものと特に変るところはない。
【００１４】
本体１の扉２に対するヒンジが設けられた側と反対側の側壁７には、固定カバー８が設けられ、この固定カバー８の前縁には可動カバー９がヒンジ結合１０されている。この可動カバー９は扉２の前面において少なくともハンドルロック部４、スライダーレバー５、ロックスライダー３の一部及び２重錠６を覆うだけの大きさを持っており、板金などよりは、むくの鉄材から切り出した材料で例えば３０ｍｍ厚程度に形成するのが強度上好ましい。可動カバー９はハンドルロック部４に対しヒンジ結合１０と反対側の内側に、縦方向に延び回転可能な駆動シャフト１１を有し、この駆動シャフト１１の下端は可動カバー９の下端に開口し、その下部に錠機構１２を備えている。また駆動シャフト１１は上下２個所にピニオン１３、１４を有し、このピニオン１３、１４はそれぞれ左右に移動し得るロッド１５、１６に設けたラック１７、１８と噛み合い、駆動シャフト１１が回転することによりロッド１５、１６は矢印で示すように左右に動くことができる。
【００１５】
扉２の前面において、駆動シャフト１１と対向する位置に可動カバー９をロックするための断面Ｌ型の可動カバーロックプレート１９が設けられ、そのＬ型の一方の面２０で扉２に固定され、他方の面２１は可動カバー９の内側に設けた空所２２に入り込むようになっており、上下の個所でロッド１５、１６と対向する位置に係合孔２３、２４を備え、ロッド１５、１６が左右に動くことにより、それぞれ係合孔２３、２４に挿入されるか又はそれより引き出されるようになっている。
【００１６】
図２は図１に示す補助ロック装置を備えた自動販売機の正面図を示す。２０１は自動販売機本体、２０２は左端を本体にヒンジ結合された扉、２０３は上部電照部で、商品見本２０４、商品選択釦２０５が配置されている。２０６はコイン投入口、２０７は返却レバー、２０８は紙幣投入口、２０９は表示部、２１０は下部電照部、２１１は釣銭返却口、２１２は商品取出口である。コイン投入口２０６の近傍に本発明による可動カバー２１３が設けられ、この可動カバー２１３は本体の右側の側壁に取付けられた固定カバーにヒンジ結合２１４されている。この可動カバー２１３は扉２０２の内部右側に縦方向に設けられたロックスライダーのハンドルロック部、スライダーレバー（図１のロックスライダーのハンドルロック部４、スライダーレバー５に相当する部分）を覆うようになっている。
【００１７】
上述の固定カバー、可動カバー及び可動カバーロックプレートにより本発明の補助ロック装置は構成されるものであるが、次にその動作について説明する。
【００１８】
自動販売機の扉２が閉められ、ハンドルロック部４のハンドルを回し、スライダーレバー５を介してロックスライダー３を上下に動かし、本体の係合部に差し込み、ハンドルロック部４をキーで施錠することにより自動販売機の扉２はロックされた状態に保持され、キーをハンドルロック部４に差し込まない限り、扉２を開けることはできない。２重錠６が設けられている場合にはハンドルロック部の施錠と共に施錠される。次に可動カバー９を扉２の表面まで回転させ、駆動シャフト１１の錠機構１２にキー２５を差し込んで回すと、駆動シャフト１１が回転し、それに従い駆動シャフト１１と噛み合ったロッド１５、１６が左に動き、可動カバーロックプレート２０の各係合孔２３、２４に挿入され、可動カバー９は可動カバーロックプレート２０にロックされ、キー２５を抜くことにより、キーを所持する者以外のアクセスは拒否される。扉２を開ける場合には逆の操作をすればよい。即ち、駆動シャフト１１の錠機構１２にキー２５を差し込み、上述と反対方向に回転させることにより、ロッド１５、１６は右方向に動き、可動カバーロックプレート２０の係合孔２３、２４から引き出され、ロックは解除され、可動カバー９は開くことができる。その上で２重錠６を解錠し、ハンドルロック部４にキーを挿入して回すことによりハンドルが扉表面より飛び出すから、ハンドルを回すことによりスライダーレバー５を介してロックスライダー３は本体１の係合部より解放され、扉２を開くことができる。
【００１９】
可動カバーロックプレートは必ずしも扉側に設ける必要はなく、可動カバー側に設けてもよい。その場合には、可動カバーロックプレートは上述のような断面Ｌ型の部材による必要はなく、可動カバーの内側に空所を設け、そこにロッドを挿脱し得る係合孔を形成する構造であればよく、またその空所に扉から突出する部分を設け、その内部に駆動シャフトを配置してロッドを係合孔と対向するように位置せしめればよい。なお、左開き式の扉の場合には扉と自動販売機本体とのヒンジ部と反対側、即ち左側に固定カバーと可動カバーを設けることになる。
【００２０】
本発明の補助ロック装置においては、駆動シャフトの下部に設けた錠機構が最外部の錠機構になり、そこを破られれば扉は通常の構成になるが、この錠機構が下方を向いていることによってこれを破ることは極めて困難となり、この構造を見れば心理的に犯意を未然にくじく効果がある。
【００２１】
図３は可動カバーと扉との間に更に保護板を挿入した実施例の自動販売機の正面図を示し、図２と同等部分には同符号を付してある。３１は保護板で、扉２０２の外側上に例えばビス止めにより固定され、コイン投入口２０６、紙幣投入口２０８、返金レバー２０７、表示部２０９、下部電照部２１０を除いて自動販売機前面の上部電照部２０３の下方を横方向に覆うようになっている。この保護板３１の上に可動カバー、可動カバーロクプレート及び固定カバーからなる補助ロック装置３２を設ける。保護板はプラスチックと鋼板との積層体から構成するのが有利である。プラスチックとして例えばジシクロペンタジエンを原料とする成形が容易で高強度が得られる石油樹脂系素材（例えば日本ゼオン社製の商品名「ペンタム」）、鋼板としてステンレスを使用すると、成形が容易で、プラスチック板により装飾性を持たせることができ、また保護板全体として粘りが得られ、防盗性も高まる。
【００２２】
【発明の効果】
本発明によれば、ハンドルロック部、スライダーレバー及びロックスライダーの一部を本体の側壁及び扉の両者を利用した両持ち型の構造で覆うものであるから、強度が極めて大きく、種々の攻撃手段に対抗することができる。即ち、ハンドルロックを正面から攻撃する、ハンドルロック回りをドリルで穴あけする、扉と本体との間の隙間からバールを差し込む、ハンドルロックの側方を金切バサミで切り裂く、スライダーレバーを直接攻撃する等の手段に対抗でき、しかも補助ロック装置の構造を見ただけで犯意を消沈させ得るものであり、また簡単な構造であるから既存の自動販売機に対しても適用は容易であり、自動販売機に対する防盗効果を一段と高めることができる。
【図面の簡単な説明】
【図１】本発明の実施例の、ａは正面図、ｂは一部切欠き平面図、ｃは側面図である。
【図２】本発明の補助ロック装置を備えた自動販売機の正面図である。
【図３】保護板を使用した本発明の異なる実施例の正面図である。
【符号の説明】
１  自動販売機本体
２  扉
３  ロックスライダー
４  ハンドルロック部
５  スライダーレバー
６  ２重錠
７  側壁
８  固定カバー
９  可動カバー
１０  ヒンジ結合
１１  駆動シャフト
１２  錠機構
１３  ピニオン
１４  ピニオン
１５  ロッド
１６  ロッド
１７  ラック
１８  ラック
１９  可動カバーロックプレート
２０  可動カバーロックプレートの面
２１  可動カバーロックプレートの面
２２  空所
２３  係合孔
２４  係合孔
２５  キー
２０１  自動販売機本体
２０２  扉
２０３  上部電照部
２０４  商品見本
２０５  選択釦
２０６  コイン投入口
２０７  返却レバー
２０８  紙幣投入口
２０９  表示部
２１０  下部電照部
２１１  返却口
２１２  商品取出口
３１  保護板
３２  補助ロック装置
【図１】
2004164002.tif 000003
【図２】
2004164002.tif 000004
【図３】
2004164002.tif 000005